(57)【特許請求の範囲】
【請求項１】
計量分配されるべき製品の容器のクロージャーキャップ１２の中心開口部を通る手動往復出来るプランジャー１９と、前記クロージャーキャップ１２に取付けられ一方向だけに回転自在の制御リング２９と、前記プランジャー１９上に取付けられ接触手段３６と前記制御リング２９上で係合出来かつピストン吸込行程の終わりのその上昇位置にプランジャー１９を固定することの出来るカム手段３５と、そして、前記制御リング２９上に取付けられて、プランジャー１９の固定を外した位置での当該プランジャー１９の往復運動中に、前記カム手段３５と係合出来かつ前記プランジャー１９の直動運動を前記制御リング２９の前記一方向の回転運動に転換する手段３９、４１、４２、４３、４４とを備え、前記転換手段３９、４１、４２、４３、４４が前記プランジャー１９のおのおのの往復運動の個別カム作業周期を設定し、前記制御リング２９を前記プランジャーの固定を外した位置から逐次回転させ、また前記プランジャーの固定位置に自動的に復帰させる一方向ゲートから成る計量分配装置において、前記接触手段３６における戻り止め３７、３８により前記カム手段３５のリミットストップが決まり、前記プランジャー１９と前記制御リング２９の間の相対手動回転が作用して前記リミットストップに乗り上げて前記プランジャー１９の固定を外した位置に入れることを特徴とする計量分配装置。
【請求項２】
前記制御リング２９の表示部をその外面に前記カム手段３５と整合して備え、前記プランジャー１９の固定位置を表示することを特徴とする請求項１記載の計量分配装置。
【発明の詳細な説明】
【０００１】
【発明の属する技術分野】
本発明は、計量を制御するポンプの予め決められた行程数を、最終行程の後自動的に復帰させるに先立って規定する手動ポンプ計量分配装置に関するものである。本計量分配装置のポンププランジャーは初期工程に先立つまた最終行程につづく状態で作動しないよう固定される。
【０００２】
詳述すれば、本発明による計量分配装置は前記プランジャーに係合する回転自在な制御リングを備えてプランジャーの行程数を制御し従って、ポンプが前記制御リングの１回転毎の固定されない状態にある間の計量を制御する。前記制御リングは前記プランジャーが往復運動しないよう解除自在に固定する方法でプランジャーに連結されている。
【０００３】
【従来の技術】
米国特許第５，３３５，８２３号は排出工程が１つ以上の排出作動手段で行われるランダム形式の手段の排出装置を開示している。この計量分配装置は１つ以上の始動位置と１つ以上の最終位置の間を手動方法の１つ以上の動作作業周期で後退ならびに前進移動出来るよう構成される。１つ以上のこのような位置で前記排出作動手段は、１つ以上の止め装置により作動方向の移動に対し少なくとも特定の移動範囲内に固定出来るし、あるいは止め装置の帰り方向で１つ以上の手動作動により再度解除出来る。
【０００４】
米国特許第４，５６５，３０２号は容器から計量済み流動性物質量の計量分配用に作動押出器を備える作動可能計量機構を開示している。作動行程を自動的に計数し、前記作動押出器を作動させることで作業が始まる計数装置が配設される。前記計数装置の関数として作動させ得る作動行程に固定装置が配設される。前記固定手段は特定行程数の日々の最大量の計量後作動し、その後再度解除される。
【０００５】
しかしながら、これらの先行技術による計量機構は、最終行程の後、自動的に自動復帰される以前に計量制御のための指定の行程数を規定する能力に総体的に欠ける。たとえば、使用者が１鼻孔当り３行程をその３回目の行程が終った後、作業者が装置を再始動するまで計量分配装置が子供にとって安全なものとなるようにすることが必要である。周知の先行技術の計量制御の備わる計量分配装置は指定行程の規定制御の達成には無能である。
【０００６】
【発明が解決しようとする課題】
従って本発明の目的は、結果として最終行程が終った後、吸入排出作動装置の自動復帰とそれを固定して終る指定の行程数を規定する計量制御機構を備える計量分配装置を提供することである。本発明によるこのような制御が可能な計量分配装置は相対的に僅かな部品しか備えないものとして開発され、操作と組立てが容易でしかも極めて経済的なものである。
【０００７】
【課題を解決するための手段】
前記制御リングは計量分配装置本体上に取付けられ、またプランジャーに連結されて固定位置から複数の予め決められたカム作業周期に従って１方向だけに回転し、そのうえで前記プランジャーが再固定位置で自動的に復帰する。前記制御リングとプランジャーの間の連結は、プランジャーが制御リングのおのおのの回転で指定されただけの行程数を処理出来るよう直動運動から回転運動に転換させる。
【０００８】
プランジャー上のカムは接触棚に制御リング上で係合して、前記プランジャーを１番目の行程が始まる前と最終行程が終った後の往復運動に抗して固定させる。前記制御リングとプランジャーの双方は自由に回転出来また互いに対して回転可能である。また、複数のリミットストップが前記棚上に配設されその１つが前記リングとプランジャーの相対回転とかみ合っており、直ぐにでも作動させる位置に配備されている。最終行程が終った後、プランジャーはカムが棚に戻るに従って自動的に固定される。
【０００９】
前記制御リングとプランジャーの間の連結はジグザグの軌道を備え、その中で前記カムが軌道壁の後尾面に係合して鋭角ならびに鈍角により割出し坂路を形成する。この軌道壁は複数の可撓自由端を備え、カムが片方の傾斜のついた坂路から他方の坂路に通過しておのおの個別のカム作業周期の一方向ゲートとして作用する。
【００１０】
前記制御リングをプランジャーの回転に対し相対的に回転させることの必要性は、前記２部品の間の相対回転が一般的に幼児には出来ないので、計量分配装置を子供にとって安全なものとすることにある。
【００１１】
本発明の他の目的、長所ならびに新奇な特性は、添付の図面と共に参照する時、本発明の以下に述べる詳細な説明でさらに明白になるであろう。
【００１２】
【発明の実施の形態】
本発明に関して、図面を参照しながら以下に詳述すると、本発明を具体化する計量分配装置は、本発明と共通して所有される米国特許第４，０５１，９８３号に開示された一般に周知の構造の図１に総体的に１０で示されている。前記特許の開示の全体がそのため参考として本明細書に明確に取入れられている。従って、本計量分配装置はめねじ付きのクロージャーカップ１２に前記計量分配装置を分配されるべき製品の容器Ｃのおねじ付きネックに取付けるため連結されたポンプ本体１１を備える。このポンプ本体は、往復ポンプピストン１５により可変容量ポンプ室が決まり、そのピストン１５を収容するためポンプシリンダー部１４が備わるポンプハウシング１３を備える。前記ポンプピストンは筒状おおい１９を備えるポンプ頭部１８に固定して取付けられた中空心軸１７を備える。この中空心軸により排出通路２１が決まり排出開口部２２と排出流し口２３またはその種の他のものの端部で連絡し、それを通って液体製品がこの技術で周知の標準的な方法であればどのような方法ででも排出できる。
【００１３】
総体的に２４で示された３個構成のポペット弁がポンプピストンに形成された弁座に接して嵌座し、ポンプハウジング１３の１体部分として細径シリンダー２７内を往復する細径ピストン２６に連結されたポペット弁部品２５を備える。入口逆止め玉弁２８が部品２５と２６の間に捕捉されて、おのおののピストンの吸込行程中周知の方法で、また前記第’９８３号特許で明確に述べられているように、ポンプ室に製品を差し込む。ピストンの戻しばね２０がシリンダー２７に配置され、前記３個構成ポペットに接して支え、ピストンを図１の位置まで戻す。
【００１４】
本発明によれば、制御リング２９がプランジャー覆い１９に対し入れ子関係にクロージャーキャップ１２に連結している。制御リングは前記クロージャーキャップの直立フランジ３３内に環状溝３２（図１）と係合出来る外部環状ビード３１（図２）を備え、前記制御リングがプランジャーに対し、またクロージャーキャップに対しても自由に回転出来るようにさせる。制御リングの上端部に取付けられた固定つば３４は前記プランジャーおおいをぴったりと取囲むよう配設される。別の方法で、前記制御リングは１体環状つばもしくはフランジをこのために備えることも出来る。
【００１５】
本発明によれば、制御リング２９はポンププランジャーの筒状おおい１９に、プランジャーの直動運動が制御リングの回転運動におのおのの個別カム作業周期３０（図３）中に転換されるように連結される。このため、プランジャーおおい１９は円形横断面になっても差支えないカムの形にした半径方向に伸びる突起３５備える。前記制御リングの内面は平坦リブ３６もしくはその種の他のものにより決まる水平棚を備え、その上にカム３５が制御リングの所定回転の向きに静止する。カム３５がリブ３６に対し接触すると、ポンププランジャーは不活化されるので、押下げられることはない。従って開示された実施例では、カム３５が図４の“ａ”位置にある時、プランジャーはピストン吸込行程の終りのその上昇位置で固定される。
【００１６】
この位置で、計量分配装置の中心軸の回りのプランジャーの手動回転もしくは制御リングの手動回転により両部品１８と２９は同時に回転する。これはそれらが前記軸の回りを双方とも自由に回転出来るからである。棚３６の両端には戻り止め形成ストップ素子３７と３８が配設され、プランジャー頭部もしくは制御リングのいずれかの中心軸の回りの回転中のカム３５を通常は棚３６の範囲内に限定してしまう。このストップ素子３７は可撓性であるので、プランジャー頭部と制御リングの相対回転（プランジャー頭部と制御リングを相対的に反対方向に手動で回転させることによる）すると、カムはストップ素子３７の上を乗り超えて図４の“ｂ”位置まで進行し、それによりプランジャーの往復運動を可能にする。従って、プランジャー頭部と制御リングをそれらが互いに対し回転させてプランジャーの固定を外せるように操作する両手での操作をおそらく幼児は行えないので、計量分配装置は子供にとって安全な装置となる。カム３５がストップ３８に対し反対の方向に移動させる相対回転が、リブ４４の端部４８により妨げられるので、プランジャーの止めを外さないことも強張しておく。
【００１７】
制御リングの内壁はストップ素子３７で始まる円周に沿い、全円周の回りを制御リングの内面に沿って伸長し、そしてストップ素子で終るジグザグ軌道も同様に備える。この軌道はリブ３９、４１、４２、４３などにより画定され、リブ４４で終り、交互に鈍角と鋭角になった複数の割出し坂路から成ることが出来る。制御リングはその軸の回りを図４の曲り矢の方向にだけ回転出来る。従って、前記の方向に対し、リブ３９が下方かつ後方に傾斜し、可撓端部４５でリブ４１の対向端からカム３５の直径より僅かに短かい距離で離間して終ることが判る。端部４５は図３で示されるように伸長しており、プランジャー上にあるカム３５が手動往復運動をする際、必要に応じてその全下降行程を通して移動できる。
【００１８】
リブ４１は上方ならびに後方に傾斜し、リブ４２の対面端からカム３５の直径よりも僅かに短かい距離で僅かに離間する可撓端部４６で終る。リブ４２は下方ならびに後方に傾斜し、リブ３９と平行し、カム３５の直径より僅かに短かい距離でリブ４３の対面端部から離間する可撓端部４７で終る。リブ４３は上方と後方にリブ４１と平行に傾斜し、端部４６と同様に可撓端部（図示せず）で終るその上端（図示せず）を備える。４１と４２のような前述の可撓端部を備えるリブは全周を通して制御リングの全内面に沿って伸長し、対面端部３８からカム３５の直径よりも僅かに短かい距離で離間された可撓端部４８を備えるリブ４４で終る。
【００１９】
操作にあたっては、この計量分配装置は輸送も貯蔵も可能で、未使用の基間には、プランジャーを図４の様に上げて固定した位置にする。カム３５はその路に位置する固定棚３６に接して静止するので作動出来ないよう固定された状態になる。子供がこの位置でプランジャー頭部もしくは制御リングを計量分配装置の中心軸の回りに回転させようとどのように試みても、カム３５がストップ素子３７もしくはストップ素子３８に接する位置に移動するので、これら２部品双方の同時回転をもたらすことはない。計量分配装置を使用者が吸入排出の出来るようにするには、前記プランジャーと制御リングが反対方向に相対的に回転して（片方の部品を抑えて他方の部品を回転させる）カム３５が端部素子３７を撓ませてそれを乗越え、そのうえで前記カムが図４に示されている様に位置“ａ”から位置“ｂ”に移動出来る。指の力をプランジャー頭部の上面に加えると、カム３５はリブ３９の後面に沿って（図４の曲り矢印の方向に対し）カムが図４に示された位置“Ｃ”に届くまで案内される。この位置でカムは可撓端部４５とリブ４１の対向端部の間の間隙を無理やり通り、そのためカムは前記端部の全長全部に亘る後面に沿って（図３）の位置“Ｃ”までプランジャー下降行程の範囲内で案内される。プランジャーの戻り移動中カムはその“Ｃ”位置から案内されてその“Ｃ”位置に戻され、そこでリブ４１の下側に配置される。この技術で周知の通り、ピストンの戻りは戻しばね２０の弾性膨張により行われ、プランジャーに加えられた指圧を解除することによって、ピストン１５とプランジャーを図１の初期の位置に戻す。この工程の中で、カム３５は、リブ４１の後面に沿って案内され、また端部４６とリブ４２の対面端部の間の間隙を通って外に案内される。カムは、それがこの間隙を通って図４の“ｄ”で示された位置に移動するにつれて端部４６を撓ませる。前記頭部の上部に対し反復して加えられた指の力は、ここでも頭部とポンプピストンをカム３５がリブ４２の後面に沿って案内されるように低くさせ、そしてカムがリブの下端部に到達すると端部４７をリブ４３の対面端部から離間して撓ませ、しかもカムはプランジャーの下降行程の範囲を通して端部４７の延長部に沿って案内される。つまりリブ４３の後面に沿って案内される準備を整えて、帰り行程中リブ４１に関し上述と同一の方法で、適所に置かれることが出来るよう案内される。圧力行程と帰り行程の中で、プランジャーは往復運動を行い、割出し坂路を形成するリブに沿い案内され、それによっておのおのの完全圧力行程と帰り行程との一方向ゲートとしての役を果たす作用をする。プランジャー頭部が１つの往復作業周期を通って移動するに従って、制御リングは単一カム作業周期３０（図３）を頭部おおい上の固定カム３５を介して頭部の回りを回転する。プランジャーが往復運動をつづけている間、制御リングはカムが複数の一方向ゲート坂路の複数の組合わせを横切るに従って、類以のカム作業周期を通って、カムが連続する工程の最後のプランジャー帰り行程中、リブ４４の下側面に沿って案内されながら最終的に終るまで連続的に回転することになる。カムはその結果、端部４８とストップ素子の間の間隙を素子４８を撓ませながら、それが出発した固定棚３６の上部に戻り最終的に終了できるよう通って移動する。
【００２０】
従って、おのおのの隣接する坂路の組合わせたとえば３９と４１は、制御リングを単一カム作業周期３０で単一ピストン圧力行程と戻り行程中回転させる。円周方向距離３０は隣接リブ組合わせとその傾斜の数に左右される。制御リングの内周回りのリブの組合わせ、たとえば３９と４１、４２と４３の数が圧力工程の数を決定するが、その数は、最終行程の後たとえば棚の上の位置“ａ”に戻して終了させることで、プランジャーが自動的に自動復帰してからの計量分配装置として設計される。予め決められた制御リングのカム作業周期の数を通しての計量は、従って、最終行程の後で止められた位置即ち子供に安全な位置に自動的に復帰されるプランジャーを用いるということに限定される。たとえば４つの圧力行程が咽頭噴霧用に確定される場合、制御リング２９は４つの坂路たとえば３９、４１の組合わせを用いて設計されることになる。本発明による計量制御用に考えられた圧力行程の数は、坂路の組合わせを棚３６の片端部３７から制御リングの円周全体に拡げて、反対端部３８で戻し終えるために、坂路組合わせの傾斜をそれに応じて調整させる必要のある坂路組合わせの数にももちろん左右される。
【００２１】
計量分配装置に提供できる子供に安全なもう１つ別の特性は、クロージャーキャップ１２を取囲む外蓋４９から成る。この外蓋は前記クロージャーキャップ軸の回りを自由に回転出来る。スナップビード５１と５２の前記外蓋上と、またクロージャーキャップ上での協作は外蓋の適所でのスナップ嵌め取付けを可能にする。前記外蓋の上端部の逆止め一方向内部ラチェット歯５３が、同種類のラチェット歯５４とクロージャーキャップ上で噛合わされる周知の方法で提供され、それにより前記２つのラチェット歯間の噛合せは、前記クロージャーキャップをゆるめる方向に向うことになる。このようにして、計量分配装置は、外蓋に加えられた僅かな下向きの力により前記ラチェット歯の組合わせ５３、５４が互いに噛合わされる一方、外蓋を弛める方向に回転させると、その容器から取外すことが出来る。幼児はこのような２工程操作が出来ないので、それによりこの計量分配装置がさらに子供に安全なものとすることは明白である。
【００２２】
図５に示されているように、排出流し口２３はカム３５と総体的に整合され、指示矢印５５が制御リング２９の外面に配設されており、プランジャー頭部はカム３５と図４の位置“ａ”で、止め位置にある。
【００２３】
カムの案内軌道が制御リングの内周の回りに伸びていると前述したが、２つの完全案内軌道がおのおのを制御リングの内周の１部分に沿い伸長して配設され、そのおのおのが全く同じであることが指摘されるべきである。おのおのの軌道は前述のようにおのおのが止め棚３６とリブ３９、４１などを備える同一の方法で機能することになる。他方のプランジャー固定位置は従って制御リングの外面に貼付された指示矢印５６（図２）により示すことが出来る。
【００２４】
明らかに、本発明の多数の変更態様と変形とが上述の教示に照らして可能となる。たとえば制御リングの内周からの軌道はリブたとえば３９、４１の手段よりもむしろ本発明から逸脱することなく制御リングの面に設けた溝により形成できる。さらに、カム３５も自由に回転出来るか、あるいはそれがプランジャーの直動運動を制御リングの回転運動に、それが単数もしくは複数の軌道の回りを計量分配装置の計量制御に前述された方法で案内されるに従って転換される機能を果す限り、どのような形状もしくは形式のものにも出来る。そのうえ、前述のポンプ噴霧器が本発明の範囲から逸脱することなく採用できる。従って特許の請求の範囲内で本発明は明確に説明された方法以外の方法で実施することが出来ることも理解されるべきである。
【００２５】
【発明の効果】
発明の２工程操作は幼児には出来ないので、それにより本計量分配装置はさらに子供に安全なものとすることが出来る。
【図面の簡単な説明】
【図１】本発明を組込む手動作動ポンプ式計量分配装置の垂直断面図である。
【図２】図１の制御リングの拡大側面図である。
【図３】図２の線３−３に事実上沿ってとった図である。
【図４】制御リングの１部を拡大寸法にして、前記リングをプランジャーカムと連結した順序通路を示す斜側図である。
【図５】図１の計量分配装置のプランジャー頭部カムを示す部分切欠き斜視図である。
【符号の説明】
１０  計量分配装置
１１  ポンプ本体
１２  めねじ付きクロージャーキャップ
１３  ポンプハウジング
１４  ポンプシリンダー
１５  往復ポンプピストン
１６  可変容量ポンプ室
１７  中空心軸
１８  ポンプ頭部
１９  筒状おおい
２０  ピストン戻しばね
２１  排出通路
２２  排出開口部
２３  排出流し口
２４  ３個構成ポペット弁
２５  ポペット弁部品
２６  細径ピストン
２７  細径シリンダー
２８  入口逆止め玉弁
２９  制御リング
３０  個別カム作業周期
３１  外部環状ビード
３２  環状溝
３３  直立フランジ
３４  固定つば
３５  半径方向に伸びる突起（カム）
３６  平坦リブ（棚）
３７、３８  戻り止め形成ストップ素子
３９  リブ（坂路）
４１  リブ（坂路）
４２  リブ
４３  リブ
４４  リブ
４５  可撓端部
４６  可撓端部
４７  可撓端部
４８  端部（撓み素子）
４９  外蓋
５１  スナップビード
５２  スナップビード
５３  ラチェット歯
５４  ラチェット歯
５５  指示矢印
５６  指示矢印
【図１】
0003604625.tif 000002
【図２】
0003604625.tif 000003
【図３】
0003604625.tif 000004
【図４】
0003604625.tif 000005
【図５】
0003604625.tif 000006